(57)【要約】【課題】クロマトグラムに出現するピークの意味をわざわざ編集する必要なく、専門的な知識を有さない一般の人でも理解できるようにすることが可能なクロマトグラフ用データ処理装置を提供する。【解決手段】クロマトグラフの検出器から出力された信号より所定の基準に基づいてピークを検出するピーク検出手段、及び検出された各ピークについて、そのピークに関する情報を生成するピーク情報生成手段を含んで成るクロマトグラフ用データ処理装置において、前記ピーク情報に対応付けられた付加情報が保存された付加情報記憶部と、前記ピーク情報生成手段によって生成されたピーク情報に対応する付加情報を前記付加情報記憶部を検索することにより特定し、該付加情報を検出されたピークの位置に表示する付加情報表示手段とを備えた構成とする。これにより、ピークの位置に自動的に付加情報が出力される。【選択図】図２
2008096183.tif 000002
【特許請求の範囲】
【請求項１】
クロマトグラフの検出器から出力された信号より所定の基準に基づいてピークを検出するピーク検出手段、及び検出された各ピークについて、そのピークに関する情報を生成するピーク情報生成手段を含んで成るクロマトグラフ用データ処理装置において、
前記ピーク情報に対応付けられた付加情報が保存された付加情報記憶部と、
前記ピーク情報生成手段によって生成されたピーク情報に対応する付加情報を前記付加情報記憶部を検索することにより特定し、該付加情報を検出されたピークの位置に表示する付加情報表示手段と、
を備えることを特徴とするクロマトグラフ用データ処理装置。
【発明の詳細な説明】
【技術分野】
【０００１】
本発明は、液体クロマトグラフやガスクロマトグラフにより得られるクロマトグラムにおけるピークの位置に各種の情報を表示させる技術に関する。
【背景技術】
【０００２】
従来のクロマトグラフ用データ処理装置では、クロマトグラフ装置の検出器から出力される信号を順次受け取り、所定の基準によりピークを検出する。次に、検出したピークについて、保持時間（リテンションタイム）、ピーク高さ、ピーク面積、成分濃度、成分名等といった情報を生成する。そして、クロマトグラムを順次出力するとともに、検出された各ピークの所に、そのピークに関する上記の情報（これをピークトップコメントと呼ぶ）を出力する。
【０００３】
図３に、従来のクロマトグラフ用データ処理装置において出力されたクロマトグラムの例を示す。ここでは、データ処理装置が検出したピークに関し、ピーク通し番号、成分名及びピークの高さが「/」によって区切られ、ピークトップコメントとして表示されている。
【０００４】
このようなピークトップコメント付クロマトグラムに関連した技術として、特許文献１に記載の発明がある。これには、クロマトグラムにおいてピーク間の距離が短い場合にピークトップコメントが重なって表示されてしまい、ピークトップコメントが読みづらくなってしまったり、クロマトグラム全体の波形が把握できなくなってしまったりするといった問題を解決するために、重要度の高いピークに関してのみピークトップコメントを表示し、重要度の低いピークについてはピークトップコメントを表示しないという構成が記載されている。
【０００５】
【特許文献１】特開平08-101184号公報
【発明の開示】
【発明が解決しようとする課題】
【０００６】
上記特許文献１にて開示されているようなデータ処理装置を用いることにより、ピーク情報が読みやすく表示されたピークトップコメント付クロマトグラムを出力することができる。
【０００７】
しかし、図３に示すようなピークトップコメント付クロマトグラムは、分析を専門とする人でしか理解することができず、一般の人がこれを見たとしてもこのクロマトグラムがどのような意味を持つのか、特にそこに現れているピークが何を意味しているのかを理解することができないという問題があった。
【０００８】
このため従来では、クロマトグラムを一般向けに用いる場合、専門家ではない人がクロマトグラムの意味を理解することができるように、一旦データ処理装置から出力されたピークトップコメント付クロマトグラムにおいてユーザが各ピークトップコメントを編集して付加情報を表示させたり、はじめからピークトップコメントを付さずにクロマトグラムを出力して、そのクロマトグラムに出現したピークにユーザが手動でコメントを付したりすることが必要となっていた。
【０００９】
本発明は上記のような問題を解決するためになされたものであり、その目的とするところは、クロマトグラムにおけるピークの位置に、一般の人にも容易に理解できるような付加情報を、ユーザに負担を強いることなく表示させることにある。
【課題を解決するための手段】
【００１０】
上記課題を解決するために成された本発明に係るクロマトグラフ用データ処理装置は、
クロマトグラフの検出器から出力された信号より所定の基準に基づいてピークを検出するピーク検出手段、及び検出された各ピークについて、そのピークに関する情報を生成するピーク情報生成手段を含んで成るクロマトグラフ用データ処理装置において、
前記ピーク情報に対応付けられた付加情報が保存された付加情報記憶部と、
前記ピーク情報生成手段によって生成されたピーク情報に対応する付加情報を前記付加情報記憶部を検索することにより特定し、該付加情報を検出されたピークの位置に表示する付加情報表示手段と、
を備えることを特徴とする。
【発明の効果】
【００１１】
本発明に係るクロマトグラフ用データ処理装置によれば、付加情報記憶部に保存されている付加情報に基づき、クロマトグラムにて検出されたピークに付されるピーク情報が自動的に付加情報に置き換えられて表示される。従って、クロマトグラムを一般の人に理解しやすいように逐一編集する必要がなくなる。
【００１２】
付加情報記憶部に保存されている付加情報は、必要に応じて任意に追加したり変更したりすることが可能である。従って、付加情報の表示を高い自由度で以て行うことが可能である。
【００１３】
また、本発明に係るクロマトグラフ用データ処理装置は従来のクロマトグラフ用データ処理装置の構成であるピーク情報生成手段を利用するものであるため、既に従来のデータ処理装置を所有しているユーザにとってはシステムの導入コストを非常に低廉に抑えることができるというメリットがある。
【発明を実施するための最良の形態】
【００１４】
以下、本発明に係るクロマトグラフ用データ処理装置の一実施形態について説明する。なお、本発明に係るクロマトグラフ用データ処理装置を適宜「本発明に係るデータ処理装置」と略称する。
本発明に係るデータ処理装置は液体クロマトグラフやガスクロマトグラフといった各種のクロマトグラフ装置と直接接続したり、ネットワークを介して間接的に接続したりすることによって、クロマトグラフの検出器から出力された信号を受信する。
【００１５】
本発明に係るデータ処理装置を用いた液体クロマトグラフ装置を図１に示す。ポンプ１３により移動相１１をカラム１５に流しておき、所定の時点でインジェクタ（注入器）１４から試料を注入する。試料に含まれる各成分がカラム１５を通過する時間は成分毎に異なるため、カラム１５の出口に設けられた検出器１６により各成分が分離して検出される。検出器１６の信号はデータ処理装置１７に送られる。
【００１６】
クロマトグラフの検出器から検出信号が本データ処理装置に送られてくると、ピーク検出手段がその信号を解析し、所定の基準に基づいてピークを検出する。ピーク情報生成手段は、ピーク検出手段が検出したピークのそれぞれについて、そのピークに関する情報であるピーク情報を生成する。ここにおいてピーク情報とは、保持時間（リテンションタイム）、ピーク高さ、ピーク面積、成分濃度、成分名等のことを指す。
【００１７】
次いで本発明に係るデータ処理装置は、生成したピーク情報をクロマトグラムのピークの位置（ピークの付近）に出力する。このとき、全てのピークに関してピーク情報を出力する必要はなく、上記特許文献１において開示されているように、重要度の高いピークに関してのみピーク情報を付与するようにしてももちろん構わない。本実施形態では図３に示すようにクロマトグラムのピークに対して付加情報が出力され、それがディスプレイ１８に表示されたものとする。
【００１８】
付加情報表示手段は付加情報記憶部２０を参照して、生成されたピーク情報に対応する付加情報を特定する。
例えば、図３のクロマトグラムの一番左側のピークにはピーク情報生成手段によって生成された「1/Methyl_paraben/148659」というピーク情報が示されている。付加情報表示手段は付加情報記憶部２０を検索することにより、このピーク情報に含まれる化合物である「Methyl_paraben」が「高血圧症」及び「リウマチ」に対応づけられていることを特定する。
【００１９】
次に、付加情報表示手段はクロマトグラムに表示されている上記ピーク情報「1/Methyl_paraben/148659」に替えて、特定した付加情報である「高血圧症」及び「リウマチ」を出力する。
付加情報表示手段は、全てのピーク情報に関して同様の動作を繰り返し行う。この動作により得られた結果を図２に示す。ここでは、ピークの位置に出力する付加情報として単に「高血圧症」とか「リウマチ」を表示するだけでなく、一般の人に分かりやすくするために「高血圧症に有効」とか「リウマチに有効」のように「〜に有効」という文字を付加した状態で付加情報が出力されている。
【００２０】
図３に示すクロマトグラムには、あるピークに関して「3//3889」というピーク情報が表示されているが、このピーク情報には化合物名が含まれていない。従って、図２のクロマトグラムに示されているように、付加情報表示手段はこのピークに関しては付加情報を出力しない。
また、付加情報記憶部にピーク情報（本実施形態の場合には化合物名）が記載されていない場合にも、付加情報表示手段そのピークに関しては付加情報を出力しない。
【００２１】
上記では一旦ピークの位置にピーク情報が全て出力された後に各ピーク情報を付加情報に変換する場合について述べたが、ピーク情報を付加情報に変換するタイミングは特に限定されるものではない。例えば、ピーク情報が生成されると、ピークの位置にそのピーク情報が出力される前の段階で、付加情報表示手段がそのピーク情報を付加情報に変換し、その付加情報をピークの位置に出力することもできる。このとき、付加情報が出力される位置が読みやすい位置となるようにしたり、重要度の高いピークに関してのみ付加情報が表示されるようにしたりするために、上記特許文献１に記載されているようなクロマトグラフ用データ処理装置に関する一般的な技術を組み合わせることが望ましい。
【００２２】
付加情報記憶部２０には、複数のピーク情報と付加情報との組合せを保存しておくことができる。これにより、多様な付加情報を様々な分析結果に対して出力することが可能となる。
特に、分析を行う物質とその物質に含まれる（ことが予想される）成分の効果との組合せをセットとして保存しておくとよい。例えば食品に含まれる成分（ピーク情報）と効果（付加情報）との関係や、水に含まれる成分（ピーク情報）と風味（付加情報）との関係、また、薬品に含まれる成分（ピーク情報）と効能（付加情報）を保存しておくこともできる。このようにセットとして保存しておくことで、付加情報の意味を統一することが可能となる。
【００２３】
本発明に係るクロマトグラフ用データ処理装置では、クロマトグラムをディスプレイ１８上に出力してもよいし、直接記録計（プリンタ）１９に出力しても構わない。記録計に出力する場合には、ピークの位置にピーク情報を出力する前にそのピーク情報を付加情報に変換し、その負荷情報をピークの位置に出力すればよい。
【００２４】
以上、本発明に係るクロマトグラフ用データ処理装置について説明を行ったが、上記は例に過ぎないことは明らかであり、本発明の精神内において適宜に変更や改良を行ってももちろん構わない。
【図面の簡単な説明】
【００２５】
【図１】本発明に係るデータ処理装置を用いた液体クロマトグラフ装置の概略構成図。
【図２】本発明のデータ処理装置において出力されるクロマトグラムの例。
【図３】従来のデータ処理装置において出力されたクロマトグラムの例。
【符号の説明】
【００２６】
１１…移動相
１３…ポンプ
１５…カラム
１６…検出器
１７…データ処理装置
１８…ディスプレイ
１９…記録計
２０…付加情報記憶部
【図１】
2008096183.tif 000003
【図２】
2008096183.tif 000004
【図３】
2008096183.tif 000005